(57)【要約】      （修正有）【課題】オーニングに簡単に取り付けることができ、夜間でも、店の名前やロゴがはっきりわかり、集客効果を高めることができるようにした照明装飾具を提供する。【解決手段】照明装飾具１０は、上部枠体１１のシート取付溝に半透明シート１７を挟持して固定し、その内部に、ＬＥＤ１６を一直線上に並べて配設して構成される。この照明装飾具１０は、オーニングの先端フレームに吊り下げて使用される。夜間、照明装飾具１０の内部のＬＥＤ１６が点灯されると、このＬＥＤ１６からの光は、照明装飾具１０の内部から、半透明シート１７を照射する。これにより、外部から見ると、照明装飾具１０の半透明シート１７の全体が光るようになり、店の名前やロゴが夜間でもはっきりわかるようになり、集客効果を高めることができる。【選択図】図２
0003146673.tif 000002
【実用新案登録請求の範囲】
【請求項１】
オーニングの先端部に吊り下げて取り付けられる上部枠体と、
前記上部枠体のシート取付溝に挟持されて固定された半透明シートと、
前記上部枠体のＬＥＤ取付部の長手方向に並べられた発光素子と
を備えることを特徴とする照明装飾具。
【請求項２】
前記発光素子は、ＬＥＤからなることを特徴とする請求項１に記載の照明装飾具。
【請求項３】
前記長手方向に並べられたＬＥＤを透明チューブ内に封入したことを特徴とする請求項２に記載の照明装飾具。
【請求項４】
前記半透明シートは、ガラス繊維シートであることを特徴とする請求項１乃至３の何れかに記載の照明装飾具。
【請求項５】
前記半透明シートは、断面Ｕ字形又はひょうたん形に曲げられたことを特徴とする請求項１乃至５の何れかに記載の照明装飾具。
【請求項６】
前記上部枠体は、その上部の中心に設けられた突出片と、前記突出片に取り付けられた装着軸とを備え、
前記オーニングの先端フレームの結合穴に前記装着軸を挿入して、前記上部枠体を前記オーニングの先端部に取り付ける
ことを特徴とする請求項１乃至６の何れかに記載の照明装飾具。
【考案の詳細な説明】
【技術分野】
【０００１】
本考案は、店舗の入り口や窓の上側を覆うオーニングに取り付けて使用される照明装飾具に関する。
【背景技術】
【０００２】
店先の入り口を飾るオーニングとしては、各種の色やデザインのものが販売されている。従来のオーニングは、店舗の入り口や窓の上の外壁等に取付ブラケットを介して取り付けられる。オーニングの先端の前垂れ部分はフリル等になっており、この部分には、店の名前やロゴ等をカッティングシート等で描くことができる。オーニングは、店先の顔となる部分で、趣味の良いオーニングは、多くの人の目に留まり、集客効果を高めることができる。
【０００３】
このような従来のオーニングは、開閉式になっており、晴天時には、店舗からせり出される。このときには、オーニングの先端の前垂れ部分の店の名前やロゴ等が目立つようになり、集約効果が期待できる。
【０００４】
ところが、上述のような開閉式のオーニングは、夜間では、畳まれることが多く、店の名前やロゴ等が隠れてしまう。また、従来のオーニングは、照明を有していないため、夜間、オーニングに描かれた店の名前やロゴ等は視認できなくなってしまう。
【０００５】
そこで、特許文献１に示されているように、オーニング装置のせり出した箇所に表した文字等の情報を夜間などでも十分に視認可能に表示することのできるようにしたものが提案されている。
【０００６】
つまり、図１３に示すように、取付ブラケット１０１の中辺と下辺との間に角柱形状のアーム支持枠１０３が固定される。このアーム支持枠１０３の左右両端近傍であって、取付ブラケット１０１の内側には、リンク方式の関節アーム１０５，１０６がアームブラケット１０７を介して取り付けられる。関節アーム１０５の一端と関節アーム１０６の一端は、関節部材を介して回転自在に結合される。
【０００７】
関節アーム１０５の他端は関節部材を介してアームブラケット１０７に結合され、関節アーム１０６の他端は関節部材を介してボックス型前枠３３０に回転自在に結合される。キャンバス１０９の他端側は、巻取パイプ１１０に巻き回されている。巻取パイプ１１０は、アーム支持枠１０３の両端部に取り付けられたエンドブラケット１１１に対して回転自在に支持されている。
【０００８】
オーニング装置が電動で開閉を行なう場合には、巻取パイプ１１０のいずれか一方の端部に、この巻取パイプ１１０を回転させる駆動源としてのモータが内装される。モータの出力軸側と巻取パイプ１１０の内側とが連結され、そのモータにより巻取パイプ１１０を正方向に回転させることによって、キャンバス１０９は繰り出されるように動作し、逆方向に回転させることによってキャンバス１０９は巻き取られるように動作する。
【０００９】
ボックスタイプのオーニング装置の前面側には、ボックス型前枠３３０にアクリル製などの透光部材で構成された情報表示板３３３が設けられる。この情報表示板３３３は、図１３（Ｂ）に示すように、店舗名を表示したり、その他の情報等を表示することのできる看板として利用される。
【００１０】
表示灯手段３３４〜３３６は、蛍光灯などの表示灯を備えたものである。この表示灯手段３３４，３３５は、関節アーム１０６の側面であって、キャンバス１０９の収納時に情報表示板３３３を照らすように取り付けられ、表示灯手段３３６は、アーム支持枠１０３の前面側であって、キャンバス１０９の収納時に情報表示板３３０を照らすように取り付けられている。
【００１１】
この情報表示板３３３には、店舗名やその他の情報が表示されており、日光や外部照明によって照らされることによって視認可能であり、夜間などのように周囲の照明光が存在しない状態では、表示灯手段３３４〜３３６からの照明によって夜でも鮮やかに輝く看板としての機能を発揮する。
【特許文献１】特開２００６−３０７５７６号公報
【考案の開示】
【考案が解決しようとする課題】
【００１２】
ところが、特許文献１に示されるオーニング装置では、関節アーム１０６に表示手段３３４を取り付けているため、構造が複雑になり、取り付けが難しいという問題がある。また、特許文献１に示されるオーニング装置では、照明として蛍光灯等を用いているため、重量があり、消費電力が大きいという問題がある。
【００１３】
上述の課題を鑑み、本考案は、オーニングに簡単に取り付けることができ、夜間でも、店の名前やロゴが夜間でもはっきりわかるようになり、集客効果を高めることができるようにした照明装飾具を提供することを目的とする。
【課題を解決するための手段】
【００１４】
上述の課題を解決するために、本考案に係る照明装飾具は、オーニングの先端部に吊り下げて取り付けられる上部枠体と、上部枠体のシート取付溝に挟持されて固定された半透明シートと、上部枠体のＬＥＤ取付部の長手方向に並べられた発光素子とを備えることを特徴とする。
【００１５】
好ましくは、発光素子は、ＬＥＤからなることを特徴とする。
【００１６】
好ましくは、長手方向に並べられたＬＥＤを透明チューブ内に封入したことを特徴とする。
【００１７】
好ましくは、半透明シートは、ガラス繊維シートであることを特徴とする。
【００１８】
好ましくは、半透明シートは、断面Ｕ字形又はひょうたん形に曲げられたことを特徴とする。
【００１９】
好ましくは、上部枠体は、その上部の中心に設けられた突出片と、突出片に取り付けられた装着軸とを備え、オーニングの先端フレームの結合穴に装着軸を挿入して、上部枠体をオーニングの先端部に取り付けることを特徴とする。
【考案の効果】
【００２０】
本考案によれば、オーニングの先端部に吊り下げて取り付けられる上部枠体と、上部枠体のシート取付溝に挟持されて固定された半透明シートと、上部枠体のＬＥＤ取付部の長手方向に並べられた発光素子とを備えているので、構造が簡単で、オーニングの先端に簡単に取り付けることができる。そして、夜間には、内部の発光素子が点灯され、外部から見ると、半透明シートの部分全体がむらなく光るようになり、半透明シートに描かれた店の名前やロゴが夜間でもはっきりわかるようになり、集客効果を高めることができる。
【００２１】
本考案によれば、発光素子は、ＬＥＤからなるので、軽量化を図れ、また、省電力化を図ることができる。
【００２２】
本考案よれば、長手方向に並べられたＬＥＤを透明チューブ内に封入しているので、防水効果を向上できる。
【００２３】
本考案によれば、半透明シートは、ガラス繊維シートからなるので、光の拡散性に優れ、安全で、また、耐久性、防水効果が向上できる。
【００２４】
本考案によれば、半透明シートは、断面Ｕ字形又はひょうたん形に曲げられ、上部枠体に固定されているので、半透明シートが自然の形を保て、また、光が散乱して、面発光が向上できる。
【００２５】
本考案によれば、上部枠体は、その上部の中心に設けられた突出片と、突出片に取り付けられた装着軸とを備え、オーニングの先端フレームの結合穴に装着軸を挿入して、上部枠体をオーニングの先端部に取り付けるので、照明装飾具をオーニングの先端に簡単に着脱できる。
【考案を実施するための最良の形態】
【００２６】
第１実施形態．
以下、本考案の実施の形態について、図面を参照しながら説明する。図１は、本考案の第１の実施形態の照明装飾具１０の概要を示す。図１において、オーニング５０は、店舗の入り口や窓の上側に取り付けられる。オーニング５０には、巻き取り式の日除け布３０で構成されており、その一端は建物の壁側に固定され、他端は先端フレーム２０に固定されている。本考案の第１実施形態の照明装飾具１０は、このように構成される既存のオーニング５０の先端フレーム２０に吊り下げて取り付けて使用される。図１に示すように、照明装飾具１０の半透明シート１７には、カッティングシート等により店の名前やロゴが描かれている。
【００２７】
図２は本考案の第１実施形態の照明装飾具１０の構造を示す斜視図である。図２に示すように、本考案の第１の実施形態の照明装飾具１０は、上部枠体１１のシート取付溝３１に半透明シート１７が取り付けられる。上部枠体１１のＬＥＤ取付部３２に、ＬＥＤ１６を一直線上に並べて配設して構成される。夜間には、照明装飾具１０の内部のＬＥＤ１６が点灯される。ＬＥＤ１６が点灯されると、このＬＥＤ１６からの光は、照明装飾具１０の内部から、半透明シート１７を照射する。これにより、外部から見ると、照明装飾具１０の半透明シート１７の全体が光るようになり、夜間でも、店の名前やロゴがはっきりわかるようになり、集客効果を高めることができる。
【００２８】
図２において、上部枠体１１はその頂部に設けられた突出片１２の上に装着軸１３が設けられ、この装着軸１３はオーニング５０の先端フレーム２０に設けられた結合穴２１に吊される。一方、半透明シート１７は中央部分を半円状に曲げ、両先端を、シート取付溝３１の中に挿入し、ネジ１９で半透明シート１７をシート取付溝３１に固定する。
【００２９】
図３は、照明装飾具１０の構造を示す断面図である。図３（Ａ）において、上部枠体１１は、アルミ成形ユニットであり、断面Ｕ字形のフレームの上部の中心に、突出片１２を長手方向に延出して形成される。突出片１２の最上部には装着軸１３が形成される。この装着軸１３は照明装飾具１０をオーニング５０の先端フレーム２０に取り付けるためのものである。上部枠体１１の底部には、シート取付溝３１と、ＬＥＤ取付部３２が形成される。このシート取付溝３１には、図３（Ｂ）に示すような断面Ｕ字形または図３（Ｃ）に示すようなひょうたん形の半透明シート１７が挿入され、固定される。
【００３０】
図４は、突出片１２、取付片１４および装着軸１３の詳細を示す斜視図である。取付片１４は突出片１２にネジ止め等で取り付けられ、この取付片１４の先端には装着軸１３が、例えば、蝶番のような構造で取り付けられている。
【００３１】
図５は、照明装飾具におけるＬＥＤの配置の説明に用いる斜視図である。上部枠体１１のＬＥＤ取付部３２には、ＬＥＤ基板１５が取り付けられ、そのＬＥＤ基板１５上には複数のＬＥＤ１６が一列に並んで配列される。すなわち、図５に示すように、ＬＥＤ基板１５上に、複数のＬＥＤ１６が長手方向に一列に配設される。ＬＥＤ基板１５には、ＬＥＤの点灯回路が配設されてもよい。ＬＥＤ１６は複数列に並べられてもよい。
【００３２】
図２及び図３において、半透明シート１７は、防水で、可撓性があり、光の散乱に優れた半透明のシートである。半透明シート１７としては、例えばガラス繊維シートを用いることができる。図６に示すように、この半透明シート１７には、店の名前やロゴ等がカッティングシート等で描かれている。図７に示すように、半透明シート１７の両側縁には、枠板１８が取り付けられる。
【００３３】
半透明シート１７は、図２に示すように、断面Ｕ字形に曲げられ、図３に示すように、その両側縁の枠板１８がシート取付溝３１に挿入される。半透明シート１７を、図３（Ｂ）に示すように、断面Ｕ字形に曲げることで、自然の形を保てると共に、光が散乱し、面発光を高めることができる。また、半透明シート１７を、図３（Ｃ）に示すように、ひょうたん形に曲げることで、光の散乱効率をさらに良くし、面発光をさらに高めることができる。上部枠体１１にネジ穴２３が設けられ、シート取付溝３１に挿入された半透明シート１７の枠板１８に対して、ネジ１９が締め付けられる。これにより、上部枠体１１のシート取付溝３１に半透明シート１７が挟持されて固定される。
【００３４】
図８及び図９は、オーニング５０の先端フレーム２０の構造を示すものである。図８及び図９に示すように、先端フレーム２０には、巻き込み穴２２が形成されると共に、結合穴２１が形成される。巻き込み穴２２は、日除け布３０を巻き込むためのもので、日除け布３０を巻き込むための溝部２２ａを有している。結合穴２１は、照明装飾具１０を取り付けるためのもので、上部枠体１１の突出片１２を挿入するための溝部２１ａを有している。結合穴２１の大きさは、上部枠体１１の突出片１２に取り付けられた装着軸１３に対応している。
【００３５】
オーニング５０の先端に照明装飾具１０を吊り下げて取り付ける際には、図１０に示すように、先端フレーム２０の結合穴２１と、上部枠体１１の突出片１２に取り付けられた装着軸１３とが対向するように配置し、矢印で示すように、結合穴２１内に、装着軸１３を挿入する。
【００３６】
図１１は、オーニング５０の先端フレーム２０に照明装飾具１０を吊り下げて取り付けたときの状態を示している。結合穴２１内に装着軸１３を挿入することで、図１１に示すように、オーニング５０の先端フレーム２０に照明装飾具１０が吊り下げられて取り付けられる。上部枠体１１の下側には、半透明シート１７が挿入され、半透明シート１７の内部にＬＥＤ１６が配列される。
【００３７】
ここで、ＬＥＤ１６が点灯されると、このＬＥＤ１６からの光は、照明装飾具１０の内部から、半透明シート１７に照射され、半透明シート１７で散乱される。これにより、外部から見ると、照明装飾具１０の半透明シート１７の部分全体が光るようになる。
【００３８】
以上説明したように、本考案の第１の実施形態の照明装飾具１０は、上部枠体１１のシート取付溝３１に半透明シート１７を取り付け、上部枠体１１のＬＥＤ取付部３２に、ＬＥＤ１６を直線上に並べて配設して構成される。この照明装飾具１０は、オーニング５０の先端フレーム２０に吊り下げて使用され、既存のオーニングにも取り付け可能である。夜間には、照明装飾具１０の内部のＬＥＤ１６が点灯され、これにより、外部から見ると、照明装飾具１０の半透明シート１７の全体が光るようになり、半透明シート１７に描かれた店の名前やロゴが夜間でもはっきりわかるようになり、集客効果を高めることができる。また、昼間でも、ＬＥＤ１６を点灯させることで、ライティングによる多彩な演出ができる。
【００３９】
本考案の第１実施形態の照明装飾具１０は、構造が簡単で、軽量であるため、オーニング５０の先端フレーム２０に簡単に取り付けて使用できる。また、一列に並べられたＬＥＤ１６を用いて照射しているため、半透明シート全体をむらなく照射でき、また、軽量で、省電力化が図れる。また、上部枠体１１を半透明シート１７で覆われた内部にＬＥＤ１６が配設されているため、防水効果があり、風雨に晒されている所でも、問題なく使用できる。
【００４０】
第２実施形態．
図１２は、本考案の第２実施形態を示すものである。前述の第１実施形態では、図５に示したように、ＬＥＤ基板１５上に、複数のＬＥＤ１６を長手方向に一列に配設して、上部枠体１１のＬＥＤ取付部３２に取り付けている。これに対して、この実施形態では、図１２に示すように、ＬＥＤ基板１５の長手方向に一列に配列されたＬＥＤ１６全体を透明チューブ４０内に封入して、透明チューブ４０全体を上部枠体１１のＬＥＤ取付部３２に取り付けている。このように、ＬＥＤ基板１５の長手方向に一列に配列されたＬＥＤ１６全体を透明チューブ４０内に封入することで、さらに防水効果を向上させることができる。他の構成については、前述の第１実施形態と同様であり、その説明を省略する。
【００４１】
本考案は、上述した実施形態に限定されるものではなく、この考案の要旨を逸脱しない範囲内で様々な変形や応用が可能である。
【産業上の利用可能性】
【００４２】
本考案は、店舗の入り口や窓の上側を覆うオーニングに取り付ける照明装飾具として利用可能である。
【図面の簡単な説明】
【００４３】
【図１】本考案の第１の実施形態の照明装飾具の概要の説明に用いる斜視図である。
【図２】本考案の第１の実施形態の照明装飾具の構造を示す斜視図である。
【図３】本考案の第１の実施形態の照明装飾具の構造を示す断面図である。
【図４】本考案の第１の実施形態の照明装飾具における取付片及び装着軸の詳細を示す斜視図である。
【図５】本考案の第１の実施形態の照明装飾具におけるＬＥＤの配置の説明に用いる斜視図である。
【図６】本考案の第１の実施形態の照明装飾具における半透明シートの説明図である。
【図７】本考案の第１の実施形態の照明装飾具における半透明シートの説明図である。
【図８】本考案の第１の実施形態の照明装飾具を取り付けるオーニングの先端フレームの構造の説明に用いる斜視図である。
【図９】本考案の第１の実施形態の照明装飾具を取り付けるオーニングの先端フレームの構造の説明に用いる断面図である。
【図１０】本考案の第１の実施形態の照明装飾具をオーニングの先端フレームに取り付ける際の説明に用いる分解斜視図である。
【図１１】本考案の第１の実施形態の照明装飾具をオーニングの先端フレームに取り付けたときの状態を示す断面図である。
【図１２】本考案の第２の実施形態の照明装飾具の説明図である。
【図１３】従来のオーニング装置の説明図である。
【符号の説明】
【００４４】
１０  照明装飾具
１１  上部枠体
１２  突出片
１３  装着軸
１４  取付片
１５  ＬＥＤ基板
１７  半透明シート
１６  ＬＥＤ
１８  枠板
１９  ネジ
２０  先端フレーム
２１  結合穴
２２  巻き込み穴
２３  ネジ穴
３０  日除け布
３１  シート取付溝
３２  ＬＥＤ取付部
５０  オーニング
【図１】
0003146673.tif 000003
【図２】
0003146673.tif 000004
【図３】
0003146673.tif 000005
【図４】
0003146673.tif 000006
【図５】
0003146673.tif 000007
【図６】
0003146673.tif 000008
【図７】
0003146673.tif 000009
【図８】
0003146673.tif 000010
【図９】
0003146673.tif 000011
【図１０】
0003146673.tif 000012
【図１１】
0003146673.tif 000013
【図１２】
0003146673.tif 000014
【図１３】
0003146673.tif 000015
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
オーニングの先端部に吊り下げて取り付けられる上部枠体と、
前記上部枠体のシート取付溝に挟持されて固定された半透明シートと、
前記上部枠体のＬＥＤ取付部の長手方向に並べられた発光素子と
を備えることを特徴とする照明装飾具。
【請求項２】
前記発光素子は、ＬＥＤからなることを特徴とする請求項１に記載の照明装飾具。
【請求項３】
前記長手方向に並べられたＬＥＤを透明チューブ内に封入したことを特徴とする請求項２に記載の照明装飾具。
【請求項４】
前記半透明シートは、ガラス繊維シートであることを特徴とする請求項１乃至３の何れかに記載の照明装飾具。
【請求項５】
前記半透明シートは、断面Ｕ字形又はひょうたん形に曲げられたことを特徴とする請求項１乃至４の何れかに記載の照明装飾具。
【請求項６】
前記上部枠体は、その上部の中心に設けられた突出片と、前記突出片に取り付けられた装着軸とを備え、
前記オーニングの先端フレームの結合穴に前記装着軸を挿入して、前記上部枠体を前記オーニングの先端部に取り付ける
ことを特徴とする請求項１乃至５の何れかに記載の照明装飾具。